(57)【要約】【課題】  全体の再生時間を指定すれば、自動的にダイジェスト再生を行なうことのできるディスク再生装置を提供すること。【解決手段】  複数のチャプタにより構成されるディスク状の記録媒体１７２に記録されたデータを読み出して再生するディスク再生装置であって、ユーザからの指示の入力を受け付けるための操作部１２２と、操作部１２２により受け付けられた指示に従って、再生動作を制御するためのシステム制御回路１１０とを備える。このシステム制御回路１１０は、第１の再生時間を指定する情報を受け付けた場合に、記録媒体１７２に設定された複数のチャプタの情報を読み出す。また、読み出された複数のチャプタ情報と、指定された第１の再生時間とに基づいて、チャプタごとの再生時間である第２の再生時間を算出する。そして、算出した第２の再生時間に応じて、チャプタごとに記録媒体に記録されたデータを読み出してダイジェスト再生を行なう。【選択図】        図１
2006012300.tif 000002
【特許請求の範囲】
【請求項１】
複数のチャプタにより構成されるディスク状の記録媒体に記録されたデータを読み出して再生するための再生手段と、
ユーザからの指示の入力を受け付けるための入力手段と、
前記入力手段により受け付けられた前記指示に従って、前記再生手段による再生動作を制御するための制御手段とを備え、
前記制御手段は、
前記入力手段により、第１の再生時間を指定する情報を受け付けた場合に、前記記録媒体に設定された前記複数のチャプタの情報を読み出すための読出手段と、
前記読出手段により読み出された前記複数のチャプタ情報と、前記指定された第１の再生時間とに基づいて、チャプタごとの再生時間である第２の再生時間を算出するための時間算出手段とを含み、
前記時間算出手段は、
前記第１の再生時間を、前記読出手段により読み出された前記チャプタの数で除すことにより、前記第２の再生時間を算出する手段と、
前記読出手段により読み出された前記チャプタごとの時間比率に基づき、前記第１の再生時間を比例配分することにより、前記２の再生時間を算出する手段とを有し、
前記チャプタごとの再生開始位置を、任意に決定するための決定手段と、
前記時間算出手段により算出された前記第２の再生時間に応じて、前記チャプタごとに前記記録媒体に記録された前記データを読み出して再生するためのチャプタ制御手段とをさらに含み、
前記チャプタ制御手段は、
前記チャプタごとに、前記チャプタそれぞれの開始位置から、前記記録媒体に記録された前記データを読み出して再生する手段と、
前記チャプタごとに、前記決定手段により決定された任意の再生開始位置から、前記記録媒体に記録された前記データを読み出して再生する手段とを有する、ディスク再生装置。
【請求項２】
複数のチャプタにより構成されるディスク状の記録媒体に記録されたデータを読み出して再生するための再生手段と、
ユーザからの指示の入力を受け付けるための入力手段と、
前記入力手段により受け付けられた前記指示に従って、前記再生手段による再生動作を制御するための制御手段とを備え、
前記制御手段は、
前記入力手段により、第１の再生時間を指定する情報を受け付けた場合に、前記記録媒体に設定された前記複数のチャプタの情報を読み出すための読出手段と、
前記読出手段により読み出された前記複数のチャプタ情報と、前記指定された第１の再生時間とに基づいて、チャプタごとの再生時間である第２の再生時間を算出するための時間算出手段と、
前記時間算出手段により算出された前記第２の再生時間に応じて、前記チャプタごとに前記記録媒体に記録された前記データを読み出して再生するためのチャプタ制御手段とを含む、ディスク再生装置。
【請求項３】
前記時間算出手段は、前記第１の再生時間を、前記読出手段により読み出された前記チャプタの数で除すことにより、前記第２の再生時間を算出する、請求項２に記載のディスク再生装置。
【請求項４】
前記時間算出手段は、前記読出手段により読み出された前記チャプタごとの時間比率に基づき、前記第１の再生時間を比例配分することにより、前記２の再生時間を算出する、請求項２に記載のディスク再生装置。
【請求項５】
前記チャプタ制御手段は、前記チャプタごとに、前記チャプタそれぞれの開始位置から、前記記録媒体に記録された前記データを読み出して再生する、請求項２に記載のディスク再生装置。
【請求項６】
前記制御手段は、
前記チャプタごとの再生開始位置を、任意に決定するための決定手段をさらに含み、
前記チャプタ制御手段は、前記チャプタごとに、前記決定手段により決定された任意の再生開始位置から、前記記録媒体に記録された前記データを読み出して再生する、請求項２に記載のディスク再生装置。
【発明の詳細な説明】
【技術分野】
【０００１】
本発明は、ディスク再生装置に関し、特に、ダイジェスト再生を行なうディスク再生装置に関する。
【背景技術】
【０００２】
ＤＶＤ（Digital Versatile Disc）等のディスクには、チャプタが設定される。このようなチャプタを利用して、再生時間を指定する技術が存在する。
【０００３】
たとえば、特許文献１には、チャプタごとに設定された再生時間に従ってメディアの再生を行なうメディア再生装置が開示されている。また、特許文献２には、チャプタやタイトルの番号およびこれらの再生区間を順次指定させ、指定された各番号の指定期間を再生させるプログラム再生装置が開示されている。また、このようなチャプタに関連して、特許文献３には、チャプタやタイトル番号を指定すると、再生時に実際の番号と指定された番号とが一致すると自動的に再生動作を停止する情報再生装置が開示されている。
【０００４】
また、チャプタ等を利用しないで再生時間を指定する技術も存在する。
【０００５】
たとえば、特許文献４には、光ディスクに記録されている映像音声信号の再生時間を所定時間飛び越すための飛び越し時間と、映像音声信号を所定時間再生するための再生時間とを設定すると、再生時には、これらを交互に繰り返して再生する光ディスク記録再生装置が開示されている。また、特許文献５には、指定された単位周期とその単位周期の再生時間とに基づき、単位周期ごとに再生用データをスキャン再生する情報再生装置が開示されている。
【特許文献１】特開２００１−７６４７４号公報
【特許文献２】特開２００２−７４９１２号公報
【特許文献３】特開２００２−１００１０９号公報
【特許文献４】特開２００２−２３０９５０号公報
【特許文献５】特開２００３−９１９７５号公報
【発明の開示】
【発明が解決しようとする課題】
【０００６】
しかしながら、上述の特許文献１および特許文献２によれば、チャプタごとに再生時間を設定しなければならず、操作が煩わしいものとなる。また、特許文献４および特許文献５によれば、ある一定周期の中での再生時間を設定するため、全体の再生時間を把握することが困難である。
【０００７】
本発明は、上記のような問題を解決するためになされたものであって、その目的は、全体の再生時間を指定すれば、自動的にダイジェスト再生を行なうことのできるディスク再生装置を提供することである。
【課題を解決するための手段】
【０００８】
この発明のある局面に従うディスク再生装置は、複数のチャプタにより構成されるディスク状の記録媒体に記録されたデータを読み出して再生するための再生手段と、ユーザからの指示の入力を受け付けるための入力手段と、入力手段により受け付けられた指示に従って、再生手段による再生動作を制御するための制御手段とを備える。
【０００９】
上述の制御手段は、入力手段により、第１の再生時間を指定する情報を受け付けた場合に、記録媒体に設定された複数のチャプタの情報を読み出すための読出手段と、読出手段により読み出された複数のチャプタ情報と、指定された第１の再生時間とに基づいて、チャプタごとの再生時間である第２の再生時間を算出するための時間算出手段と、チャプタごとの再生開始位置を、任意に決定するための決定手段と、時間算出手段により算出された第２の再生時間に応じて、チャプタごとに記録媒体に記録されたデータを読み出して再生するためのチャプタ制御手段と含む。
【００１０】
さらに、上述の時間算出手段は、第１の再生時間を、読出手段により読み出されたチャプタの数で除すことにより、第２の再生時間を算出する手段と、読出手段により読み出されたチャプタごとの時間比率に基づき、第１の再生時間を比例配分することにより、２の再生時間を算出する手段とを有する。
【００１１】
また、上述のチャプタ制御手段は、チャプタごとに、チャプタそれぞれの開始位置から、記録媒体に記録されたデータを読み出して再生する手段と、チャプタごとに、決定手段により決定された任意の再生開始位置から、記録媒体に記録されたデータを読み出して再生する手段とを有する。
【００１２】
この発明の他の局面に従うディスク再生装置は、複数のチャプタにより構成されるディスク状の記録媒体に記録されたデータを読み出して再生するための再生手段と、ユーザからの指示の入力を受け付けるための入力手段と、入力手段により受け付けられた指示に従って、再生手段による再生動作を制御するための制御手段とを備え、制御手段は、入力手段により、第１の再生時間を指定する情報を受け付けた場合に、記録媒体に設定された複数のチャプタの情報を読み出すための読出手段と、読出手段により読み出された複数のチャプタ情報と、指定された第１の再生時間とに基づいて、チャプタごとの再生時間である第２の再生時間を算出するための時間算出手段と、時間算出手段により算出された第２の再生時間に応じて、チャプタごとに記録媒体に記録されたデータを読み出して再生するためのチャプタ制御手段とを含む。
【００１３】
好ましくは、時間算出手段は、第１の再生時間を、読出手段により読み出されたチャプタの数で除すことにより、第２の再生時間を算出する。
【００１４】
また、好ましくは、時間算出手段は、読出手段により読み出されたチャプタごとの時間比率に基づき、第１の再生時間を比例配分することにより、２の再生時間を算出する。
【００１５】
好ましくは、チャプタ制御手段は、チャプタごとに、チャプタそれぞれの開始位置から、記録媒体に記録されたデータを読み出して再生する。
【００１６】
好ましくは、上述の制御手段は、チャプタごとの再生開始位置を、任意に決定するための決定手段をさらに含み、チャプタ制御手段は、チャプタごとに、決定手段により決定された任意の再生開始位置から、記録媒体に記録されたデータを読み出して再生する。
【発明の効果】
【００１７】
本発明によると、第１の再生時間を指定すると、チャプタごとの第２の再生時間が自動で計算される。したがって、チャプタごとに再生時間を指定しなくてもよく、ユーザの操作の煩わしさを解消することができる。また、指定した第１の再生時間分再生が行なわれるため、ユーザの都合に合わせて簡単にダイジェスト再生を行なうことができる。
【００１８】
また、チャプタの時間比率に基づいて、チャプタごとの第２の再生時間を算出することができる。したがって、それぞれの内容量に応じたダイジェスト再生を行なうことができる。
【００１９】
また、チャプタごとの再生開始位置を、任意に決定することができる。このため、ユーザは、毎回異なる映像を観ることができる。したがって、ダイジェスト再生を使用することに対する、ユーザの興趣を向上させることができる。
【発明を実施するための最良の形態】
【００２０】
本発明の実施の形態について図面を参照しながら詳細に説明する。なお、図中同一または相当部分には同一符号を付してその説明は繰返さない。
【００２１】
［実施の形態１］
はじめに、本発明の実施の形態１に係るディスク再生装置について説明する。なお、実施の形態１において、ディスク再生装置として、ＤＶＤの一態様であるＤＶＤレコーダを用いる。
【００２２】
図１は、ＤＶＤレコーダ１００のハードウェア構成を表わすブロック図である。
【００２３】
ＤＶＤレコーダ１００は、データを格納するためのメモリ１１２と、格納されているデータおよび外部から入力される指示に基づいて予め定められた処理を実行するためのシステム制御回路１１０と、外部からユーザの指示の入力を受付けるための操作部１２２と、リモコン信号を受信して所定の制御信号をシステム制御回路１１０に出力するための受光部１２４と、時刻を計測して信号をシステム制御回路１１０に出力するための計時回路１２６と、ＤＶＤレコーダ１００の作動状態を表わす情報を表示するための表示部１２８とを含む。ここで、作動状態とは、たとえば、ＤＶＤレコーダにおける時刻情報、後述するチューナによる受信状態、番組の録画状態等である。
【００２４】
図１を再び参照して、ＤＶＤレコーダ１００はさらに、アンテナ１９０と、受信された電波から所定の電波を選択するためのチューナ１３０と、外部から映像および音声信号の入力を受付けるための外部入力部１３２と、入力される信号を所定の処理に基づいて圧縮するためのＭＰＥＧ（Moving Picture Experts Group）エンコーダ１５２と、システム制御回路１１０からの指示に基づいてデジタルデータを格納するためのハードディスク装置１４０と、ＤＶＤ１７２を駆動して、映像音声データを記録したり再生したりするためのＤＶＤ駆動装置１７０と、圧縮されている映像音声信号を復号化するためのＭＰＥＧデコーダ１５４と、映像の表示画面にＤＶＤレコーダ１００の作動状態その他の情報を表示する信号を生成するためのＯＳＤ（On Screen Display）画像生成回路１１４と、ＯＳＤ画像生成回路１１４により生成された信号とＭＰＥＧデコーダ１５４からの出力信号とを合成して出力するための合成回路１５８と、入力されるデジタル信号をアナログ信号に変換して出力するためのＤ／Ａ（Digital to Analog）変換部１６０と、伝送ケーブル１９２が接続可能であり映像音声信号を出力するための出力部１６８とを含む。ＤＶＤレコーダ１００は、伝送ケーブル１９２を介して、テレビ４００に接続されている。
【００２５】
次に、図２に示すフローチャートを用いて、実施の形態１のディスク再生装置におけるダイジェスト再生処理について説明する。
【００２６】
図２に示すダイジェスト再生処理は、システム制御回路１１０が、操作部１２２あるいは受光部１２４から入力される信号に基づいて、ダイジェスト再生が選択されたことを検知したときに、開始される処理である。そして、ダイジェスト再生処理が開始されると、ＤＶＤ駆動装置１７０に装着されたＤＶＤ１７２から、ＤＶＤ１７２に設定されたチャプタ情報を読み出し、その情報をメモリ１１２に格納しておく。
【００２７】
図２を参照して、はじめに、システム制御回路１１０は、操作部１２２あるいは受光部１２４から入力される信号に基づいて、ダイジェスト再生の全体時間Ｔを取得する（ステップＳ１１）。そして、メモリ１１２に格納されたチャプタ情報から、ＤＶＤ１７２に設定されたチャプタの数を読み出す。そして、全体時間Ｔをチャプタの数で除すことにより、チャプタごとの再生時間ｔを算出する（ステップＳ１２）。ステップＳ１２において算出したチャプタごとの再生時間ｔを、メモリ１１２に格納しておく（ステップＳ１３）。
【００２８】
続けて、システム制御回路１１０は、操作部１２２あるいは受光部１２４から入力される信号に基づいて、再生キーの操作がなされたか否かを検知する（ステップＳ１４）。ステップＳ１４において再生キーの操作がなされたことを検知すると、メモリ１１２からチャプタごとの再生時間ｔを読み出す。そして、ＤＶＤ駆動装置１７０に装着されたＤＶＤ１７２から、各チャプタの開始位置より順にｔ時間ずつ映像データを読み出して、テレビ４００に映像を出力する（ステップＳ１５）。
【００２９】
図３に、実施の形態１における、ダイジェスト再生時のタイミングチャートを示す。図３を参照して、ＤＶＤ１７２がチャプタＡ〜Ｅで構成されている場合、チャプタＡの開始位置からｔ時間読み出すと、次のチャプタＢへ移行する。同様にチャプタＢ〜Ｅそれぞれの開始位置からｔ時間読み出して終了する。
【００３０】
このように、ユーザが指定した再生時間をチャプタ数で分割して再生されるため、それぞれのチャプタに記録された映像データを均等に見ることができる。また、チャプタごとに再生時間を入力する必要がなく、操作の煩わしさを解消することができる。さらに、ユーザの指定した再生時間で、再生制御が行なわれるため、ユーザの都合に合わせて簡単にＤＶＤのダイジェストを観ることができる。したがって、たとえば、ユーザは、空いた時間を利用して、ＤＶＤのダイジェストを観ることができる。
【００３１】
なお、一つのチャプタの時間がｔを満たない場合には、いうまでもなく、当該チャプタに属する全てのデータを読み出して、次のチャプタへと移行する。
【００３２】
また、ステップＳ１４の処理を省略することとしてもよい。この場合、ステップＳ１１において、ダイジェスト再生の全体時間Ｔを取得した時点で、システム制御回路１１０は再生処理まで続けて行なう。
【００３３】
［実施の形態１の変形例］
本発明の実施の形態１におけるディスク再生装置は、その構成および動作については上述の実施の形態１と同様である。
【００３４】
実施の形態１の変形例では、実施の形態１で述べたダイジェスト再生処理において、チャプタごとの再出時間ｔの算出方法（図２のフローチャートにおけるステップＳ１２参照）が異なる。
【００３５】
実施の形態２においては、ステップＳ１２でチャプタごとの再生時間ｔを算出するために、メモリ１１２において、ＤＶＤ１７２に予め設定されたチャプタごとに、記憶領域を作成する。
【００３６】
実施の形態２におけるダイジェスト再生処理について、再び図２を参照して以下説明する。
【００３７】
図２を参照して、ステップＳ１１において、ダイジェスト再生の全体時間Ｔを取得すると、メモリ１１２に格納されたチャプタ情報から、全体の占めるチャプタごとの時間比率を算出する。そして、その時間比率にしたがって、チャプタごとの再生時間ｔを算出する（ステップＳ１２）。ステップＳ１２において算出されたチャプタごとの再生時間ｔを、メモリ１１２内の記憶領域に格納する（ステップＳ１３）。
【００３８】
ここで、図４を用いて、メモリ１１２内に作成された記憶領域について説明する。
【００３９】
図４を参照して、領域３１には、ＤＶＤ１７２に設定されたチャプタが順に記憶される。領域３２には、各チャプタの実際の時間が記憶される。そして、領域３３には、ステップＳ１２において算出した再生時間ｔが、それぞれ格納される。
【００４０】
たとえば、領域３１を参照して、ＤＶＤ１７２にチャプタＡ〜チャプタＥまで設定されているとする。そして、領域３２を参照して、それぞれのチャプタの時間が、たとえば、チャプタＡは１０分、チャプタＢは４分、チャプタＣは１６分、チャプタＤは５分、チャプタＥは１５分とする。そうすると、ＤＶＤ１７２の合計時間は、５０分となる。
【００４１】
この場合に、上述のステップＳ１１において取得した全体の再生時間Ｔがたとえば１０分であったとすると、ステップＳ１２においてシステム制御回路１１０が算出するそれぞれの再生時間ｔａ〜ｔｅは、ｔａ＝１０×１０／５０より２分、ｔｂ＝１０×４／５０より４８秒、ｔｃ＝１０×１６／５０より３分１２秒、ｔｄ＝１０×５／５０より１分、ｔｅ＝１０×１５／５０より３分となる。
【００４２】
システム制御回路１１０は、このようにして算出した再生時間ｔａ〜ｔｅを、領域３３に格納する（ステップＳ１３）。
【００４３】
続いて、システム制御回路１１０は、ステップＳ１４において再生キーの操作がなされたことを検知すると、メモリ１１２からチャプタごとの再生時間ｔａ〜ｔｅを読み出す。そして、ＤＶＤ駆動装置１７０に装着されたＤＶＤ１７２から、各チャプタの開始位置より順に、ｔａ〜ｔｅ時間映像データを読み出して、テレビ４００に映像を出力する（ステップＳ１５）。
【００４４】
図５に、実施の形態１の変形例における、ダイジェスト再生時のタイミングチャートを示す。
【００４５】
図５を参照して、ＤＶＤ１７２がチャプタＡ〜Ｅで構成されている場合、チャプタＡの開始位置からｔａ時間（たとえば２分）読み出して、次のチャプタＢへ移行する。同様に、チャプタＢではｔｂ時間（たとえば４８秒）、チャプタＣではｔｃ時間（たとえば３分１２秒）、チャプタＤではｔｄ時間（たとえば１分）、チャプタＥではｔｅ時間（たとえば３分）読み出して終了する。
【００４６】
このように、ユーザが指定した再生時間を、各チャプタの時間比率に基づいて分割して再生されるため、チャプタを構成する時間の長短によって、各チャプタの映像データを観ることができる。したがって、チャプタを構成する時間が長い場合には比較的長い時間再生されることになるため、ダイジェスト再生であっても、より、ＤＶＤの内容を把握することができる。
【００４７】
［実施の形態２］
次に、本発明に係るディスク再生装置の実施の形態２について説明する。
【００４８】
実施の形態２におけるディスク再生装置の構成および動作は、上述の実施の形態１と同様である。上記実施の形態１とは、ダイジェスト再生時におけるチャプタごとの再生開始位置が異なる。
【００４９】
図６は、実施の形態２におけるダイジェスト再生処理を示すフローチャートである。
【００５０】
図６に示すダイジェスト再生処理は、システム制御回路１１０が、操作部１２２あるいは受光部１２４から入力される信号に基づいて、ダイジェスト再生が選択されたことを検知したときに、開始される処理である。そして、ダイジェスト再生処理が開始されると、ＤＶＤ駆動装置１７０に装着されたＤＶＤ１７２から、ＤＶＤ１７２に設定されたチャプタ情報を読み出し、その情報をメモリ１１２に格納しておく。
【００５１】
図６を参照して、はじめに、システム制御回路１１０は、操作部１２２あるいは受光部１２４から入力される信号に基づいて、ダイジェスト再生の全体時間Ｔを取得する（ステップＳ２１）。そして、メモリ１１２に格納されたチャプタ情報から、ＤＶＤ１７２に設定されたチャプタの数を読み出す。そして、全体時間Ｔをチャプタの数で除すことにより、チャプタごとの再生時間ｔを算出する（ステップＳ２２）。
【００５２】
ここで、各チャプタの再生開始位置をランダムに決定する（ステップＳ２３）。たとえば、あるチャプタを構成する時間がＴ１であり、ステップＳ２２において算出されたチャプタごとの再生時間がｔとすると、そのチャプタの再生開始位置は、Ｔ１−ｔの範囲内でランダムに決定される。すなわち、あるチャプタを構成する時間が５分であり、ステップＳ２２において算出されたチャプタごとの再生時間ｔは２分であったとすると、そのチャプタの再生開始位置は、０〜３分の間でランダムに決定される。
【００５３】
このようにして、ステップＳ２２およびステップＳ２３において算出されたチャプタごとの再生時間ｔと、各チャプタの再生開始位置とを、メモリ１１２内の記憶領域に格納する（ステップＳ２４）。
【００５４】
続けて、システム制御回路１１０は、操作部１２２あるいは受光部１２４から入力される信号に基づいて、再生キーの操作がなされたか否かを検知する（ステップＳ２５）。ステップＳ２５において再生キーの操作がなされたことを検知すると、メモリ１１２からチャプタごとの再生時間ｔと再生開始位置とを読み出す。そして、ＤＶＤ駆動装置１７０に装着されたＤＶＤ１７２から、決定された各チャプタの再生開始位置より順にｔ時間ずつ映像データを読み出して、テレビ４００に映像を出力する（ステップＳ２６）。
【００５５】
図７は、上述のステップＳ２４において格納されたメモリ１１２内の記憶領域を示す図である。
【００５６】
図７を参照して、領域７１および領域７２については、実施の形態１の変形例において示した図４の領域３１および領域３２と同様である。領域７３には、ステップＳ２２において算出された再生時間ｔが格納される。領域７４には、ステップＳ２３において決定された各々の再生開始位置が格納される。
【００５７】
上述のステップＳ２３においてランダムに決定された各チャプタの再生開始位置が、たとえば、チャプタＡが３分３０秒、チャプタＢが１分４５秒、チャプタＣが１分１５秒、チャプタＤが１分３０秒、チャプタＥが１２分１５秒であったとすると、これらのデータが領域７４に格納される。
【００５８】
図８には、このようにして決定された再生開始位置に従って、上述のステップＳ２６におけるダイジェスト再生が行なわれた場合のタイミングチャートを示す。
【００５９】
図８を参照して、システム制御回路１１０は、チャプタＡの開始位置をメモリ１１２の領域７４から読み出し、ＤＶＤ１７２上の該当の位置（チャプタＡの開始位置からたとえば３分３０秒に該当する位置）から２分間、映像データを読み出す。そして、次に、チャプタＢへ移行し、チャプタＢの開始位置からたとえば１分４５秒に該当する位置から２分間、映像データを読み出す。このようにして、最終のチャプタＥまで再生が行なわれる。
【００６０】
このように、実施の形態２においては、各チャプタの再生開始位置がランダムに決定される。したがって、ユーザは、同じＤＶＤを観たとしても、毎回異なる映像を見るこができるので、より、ダイジェスト再生を楽しむことができる。
【００６１】
なお、この実施の形態２においても、実施の形態１の変形例と同様に、ステップＳ２２において算出されるチャプタごとの再生時間ｔを、各チャプタの時間比率に応じて、それぞれの再生時間を求めることとしてもよい。
【００６２】
上述の実施の形態１〜２において、ディスク再生装置の例として、ＤＶＤレコーダを用いて説明したが、ディスク状の記録媒体を再生できるものであればこれに限らない。
【００６３】
また、本発明のディスク再生装置が行なう、チャプタごとの再生時間ｔの算出方法を、プログラムとして提供することもできる。このようなプログラムは、コンピュータに付属するフレキシブルディスク、ＣＤ−ＲＯＭ（Compact Disc-ROM）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００６４】
提供されるプログラム製品は、ハードディスクなどのプログラム格納部にインストールされて実行される。なお、プログラム製品は、プログラム自体と、プログラムが記録された記録媒体とを含む。
【００６５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６６】
【図１】本発明の実施の形態１におけるＤＶＤレコーダのハードウェア構成を表わすブロック図である。
【図２】本発明の実施の形態１におけるダイジェスト再生処理を示すフローチャートである。
【図３】本発明の実施の形態１における、ダイジェスト再生時のタイミングチャートを示す図である。
【図４】本発明の実施の形態１の変形例におけるメモリ領域について説明するための図である。
【図５】実施の形態１の変形例における、ダイジェスト再生時のタイミングチャートを示す図である。
【図６】本発明の実施の形態２におけるダイジェスト再生処理を示すフローチャートである。
【図７】本発明の実施の形態２におけるメモリ領域について説明するための図である。
【図８】実施の形態２における、ダイジェスト再生時のタイミングチャートを示す図である。
【符号の説明】
【００６７】
１００  ＤＶＤレコーダ、１１０  システム制御回路、１１２  メモリ、１１４  画像生成回路、１２２  操作部、１２４  受光部、１５８  合成回路、１６０  Ｄ／Ａ変換部、１６８  出力部、１７０  ＤＶＤ駆動装置、１７２  ＤＶＤ、４００  テレビ。
【図１】
2006012300.tif 000003
【図２】
2006012300.tif 000004
【図３】
2006012300.tif 000005
【図４】
2006012300.tif 000006
【図５】
2006012300.tif 000007
【図６】
2006012300.tif 000008
【図７】
2006012300.tif 000009
【図８】
2006012300.tif 000010